(57)【要約】【課題】カバー部のめくれや損失を防止すると共にハウジング本体とアウター部とを強固に本係止することができるコネクタを提供する。【解決手段】保護ブリッジ２８が、仮係止位置でインナーハウジング１０とアウターハウジング２０とが係止した状態で端子収容室１１よりも装着方向Ｙ２のインナーハウジング１０側に位置するように、一対の側面カバー部２３間の挿入方向Ｙ１の後端側に設けられている。梁１９が、アウターハウジング２０の装着時に保護ブリッジ２８と重なるように、装着方向Ｙ２のインナーハウジング１０側に向かって突出して設けられ、インナーハウジング１０とアウターハウジング２０とを本係止位置で係止するための第１係止突部及び第２係止突部１９Ａが保護ブリッジ２８及び梁１９の各々に設けられている。【選択図】図１
2008130323.tif 000002
【特許請求の範囲】
【請求項１】
（Ａ）端子収容室及び該端子収容室に収容された端子を係止する端子係止ランスを有するハウジング本体、並びに、
（Ｂ）前記端子の挿入方向と直交する装着方向から前記ハウジング本体に装着されると共に前記端子収容室に対する前記端子の挿入を許可する仮係止位置と前記端子を係止して前記端子収容室からの抜けを防止する本係止位置との双方の位置で前記ハウジング本体に係止されるスペーサ部が形成されたアウター部、を備えたコネクタにおいて、
前記アウター部が、前記ハウジング本体の側面を覆う一対の側面カバー部と、該側面カバー部の前記装着方向側の端部且つ前記ハウジング本体よりも前記挿入方向の反対側に前記一対の側面カバー間を連結する連結部とを有する
ことを特徴とするコネクタ。
【請求項２】
前記ハウジング本体が、前記挿入方向の反対側に前記連結部と係止してする前記ハウジング本体と前記アウター部とを前記本係止位置で係止するための係止手段を有することを特徴とする請求項１に記載のコネクタ。
【請求項３】
前記係止手段が、前記挿入方向の反対側に向かって突出する係止突起から構成され、
前記ハウジング本体に前記挿入方向の反対側に向かって突出する凸部が設けられ、
前記連結部に前記アウター部の装着時において前記凸部と嵌合する凹部が設けられ、そして、
前記凹部及び前記凸部が、前記挿入方向側の幅よりも前記挿入方向の反対側の幅が広くなるように、設けられていることを特徴とする請求項２に記載のコネクタ。
【発明の詳細な説明】
【技術分野】
【０００１】
本発明は、コネクタに係り、特に、端子を一次係止する端子係止ランスを有するコネクタハウジングと、端子の挿入方向と直交する方向から該コネクタハウジング内に装着され、端子を二次係止するスペーサとを備えたコネクタである。
【背景技術】
【０００２】
上述したコネクタとして、本発明者は図１５及び図１６に示すようなコネクタを提案した（特願２００５−３３６８９７号）。同図に示すように、コネクタは、インナーハウジング（＝ハウジング本体）１０と、アウターハウジング（＝アウター部）２０との２部品から構成されている。インナーハウジング１０は、端子収容室１１及び端子係止ランス１２を有している。端子係止ランス１２は、端子収容室１１に収容された端子３０を係止するものである。
【０００３】
アウターハウジング２０は、スペーサ部２１と、フロント部２２と、一対の側面カバー部２３とが一体に形成されている。スペーサ部２１は、端子３０の挿入方向Ｙ１と直交する装着方向Ｙ２からインナーハウジング１０に装着されると共に端子収容室１１に対する端子３０の挿入を許可する仮係止位置と端子３０を係止して端子収容室１１からの抜けを防止する本係止位置との双方の位置でインナーハウジング１０に係止される。
【０００４】
フロント部２２は、インナーハウジング１０の端子３０の挿入方向先端側を覆い、端子収容室１１に連通する相手端子挿入孔２４が設けられている。一対の側面カバー部２３は、インナーハウジング１０の挿入方向Ｙ１及び装着方向Ｙ２の両方向と直交する直交方向Ｙ３を挟んで覆う。
【０００５】
上記一対の側面カバー部２３には、仮係止溝２５と本係止溝２６とが設けられている。インナーハウジング１０の直交方向Ｙ３側の側面には、係止突部１３が設けられている。上記仮係止溝２５は、スペーサ部２１が仮係止位置にある状態で係止突部１３と仮係止するように設けられている。本係止溝２６は、スペーサ部２１が本係止位置にある状態で係止突部１３と本係止するように設けられている。
【発明の開示】
【発明が解決しようとする課題】
【０００６】
上述したコネクタは、インナーハウジング１０とアウターハウジング２０との間に僅かなら隙間Ｓ（図１５（Ｂ））が存在し、側面カバー部２３の先端後端部の角部等に電線が引っかかりアウターハウジング２０がめくれインナーハウジング１０とアウターハウジング２０との係止が解除されたり、側面カバー部２３が破損する虞があった。
【０００７】
また、上述したインナーハウジング１０及びアウターハウジング２０の係止は、インナーハウジング１０に設けた係止突部１３−アウターハウジング２０に設けた本係止溝２６での１箇所でしか本係止を行っていない。このため係止が弱く、図１６（Ａ）に示すように、電線４０に装着方向Ｙ２のインナーハウジング１０側に向かう力Ｆが加わると、図１６（Ｂ）に示すように、本係止溝２６と係止突部１３との係止に浮きが生じたり、インナーハウジング１０とアウターハウジング２０との係止が外れてしまうという問題があった。
【０００８】
そこで、本発明は、上記のような問題点に着目し、カバー部のめくれや損失を防止すると共にハウジング本体とアウター部とを強固に本係止することができるコネクタを提供することを課題とする。
【課題を解決するための手段】
【０００９】
上記課題を解決するためになされた請求項１記載の発明は、端子収容室及び該端子収容室に収容された端子を係止する端子係止ランスを有するハウジング本体、並びに、前記端子の挿入方向と直交する装着方向から前記ハウジング本体に装着されると共に前記端子収容室に対する前記端子の挿入を許可する仮係止位置と前記端子を係止して前記端子収容室からの抜けを防止する本係止位置との双方の位置で前記ハウジング本体に係止されるスペーサ部が形成されたアウター部、を備えたコネクタにおいて、前記アウター部が、前記ハウジング本体の側面を覆う一対の側面カバー部と、該側面カバー部の前記装着方向側の端部且つ前記ハウジング本体よりも前記挿入方向の反対側に前記一対の側面カバー間を連結する連結部とを有することを特徴とするコネクタに存する。
【００１０】
請求項１記載の発明によれば、側面カバー部の装着方向の端部に一対の側面カバーを連結する連結部を備えているので、側面カバー部の角部から電線が隙間に侵入する虞が無く、且つ側面カバー部が連結されているので側面カバー部が容易に開いてしまう事が無く、捲れや破損を防止することができる。また、電線に対してハウジング本体の離脱方向に力が加えられたとしても、電線が連結部に引っかかることによって、ハウジング本体に離脱方向への応力が働くことがない。
【００１１】
請求項２記載の発明は、前記ハウジング本体が、前記挿入方向の反対側に前記連結部と係止してする前記ハウジング本体と前記アウター部とを前記本係止位置で係止するための係止手段を有することを特徴とする請求項１に記載のコネクタに存する。
【００１２】
請求項２記載の発明によれば、ハウジング本体の挿入方向の反対側に連結部と係止してするハウジング本体とアウター部とを本係止位置で係止するための係止手段を有しているので、ハウジング本体とアウター部との係止が強固となり、ハウジング本体のアウター部からの離脱を確実に防ぐことができる。
【００１３】
請求項３記載の発明は、前記係止手段が、前記挿入方向の反対側に向かって突出する係止突起から構成され、前記ハウジング本体に前記挿入方向の反対側に向かって突出する凸部が設けられ、前記連結部に前記アウター部の装着時において前記凸部と嵌合する凹部が設けられ、そして、前記凹部及び前記凸部が、前記挿入方向側の幅よりも前記挿入方向の反対側の幅が広くなるように、設けられていることを特徴とする請求項２に記載のコネクタに存する。
【００１４】
請求項３記載の発明によれば、係止手段が、挿入方向の反対側に向かって突出する係止突起から構成され、ハウジング本体に挿入方向の反対側に向かって突出する凸部が設けられ、連結部にアウター部の装着時において凸部と嵌合する凹部が設けられ、そして、凹部及び凸部が、挿入方向側の幅よりも挿入方向の反対側の幅が広くなるように、設けられているので、アウター部の装着時において連結部がハウジング本体の後方に変形する応力が作用する際に、ハウジング本体の凸部が連結して連結部の変形を防ぐことができ、係止突起の連結部との係止代を確保することができ、ハウジング本体とアウター部との係止が強固となり、ハウジング本体のアウター部からの離脱を確実に防ぐことができる。
【発明の効果】
【００１５】
以上説明したように請求項１記載の発明によれば、側面カバー部の装着方向の端部に一対の側面カバーを連結する連結部を備えているので、側面カバー部の角部から電線が隙間に侵入する虞が無く、且つ側面カバー部が連結されているので側面カバー部が容易に開いてしまう事が無く、捲れや破損を防止することができる。また、電線に対してハウジング本体の離脱方向に力が加えられたとしても、電線が連結部に引っかかることによって、ハウジング本体に離脱方向への応力が働くことがない。
【００１６】
請求項２記載の発明によれば、ハウジング本体の挿入方向の反対側に連結部と係止してするハウジング本体とアウター部とを本係止位置で係止するための係止手段を有しているので、ハウジング本体とアウター部との係止が強固となり、ハウジング本体のアウター部からの離脱を確実に防ぐことができる。
【００１７】
請求項３記載の発明によれば、係止手段が、挿入方向の反対側に向かって突出する係止突起から構成され、ハウジング本体に挿入方向の反対側に向かって突出する凸部が設けられ、連結部にアウター部の装着時において凸部と嵌合する凹部が設けられ、そして、凹部及び凸部が、挿入方向側の幅よりも挿入方向の反対側の幅が広くなるように、設けられているので、アウター部の装着時において連結部がハウジング本体の後方に変形する応力が作用する際に、ハウジング本体の凸部が連結して連結部の変形を防ぐことができ、係止突起の連結部との係止代を確保することができ、ハウジング本体とアウター部との係止が強固となり、ハウジング本体のアウター部からの離脱を確実に防ぐことができる。
【発明を実施するための最良の形態】
【００１８】
第１実施形態
以下、本発明の第１実施形態を図面に基づいて説明する。図１は、第１実施形態における本発明のコネクタのインナーハウジングとアウターハウジングとを示す分解斜示図である。図２は、仮係止位置における図１に示すコネクタの背面図である。図３は、本係止位置における図１に示すコネクタの背面図である。図４は、図２に示すコネクタのＩＩ−ＩＩ線断面図である。図５は、図３に示すコネクタのＩＩＩ−ＩＩＩ線断面図である。図６は、図４に示すコネクタのＩＶ部分の拡大図である。図７は、図５に示すコネクタのＶ部分の拡大図である。
【００１９】
同図に示すように、このコネクタは、図１に示すように、合成樹脂製のインナーハウジング１０と、合成樹脂製のアウターハウジング２０とを有している。インナーハウジング１０には、装着方向Ｙ２に沿って二段に各々８個づつの端子収容室１１が設けられている。アウターハウジング２０は、端子収容室１１に収容された端子３０（図４及び図５）の挿入方向Ｙ１と直交する装着方向Ｙ２からインナーハウジング１０に装着する。上記端子収容室１１には、図４及び図５に示すように、挿入方向Ｙ１の後方からメス型の端子３０が挿入される。
【００２０】
上述したインナーハウジング１０は、略箱型であり、嵌合溝１４が形成されている。嵌合溝１４は、インナーハウジング１０の挿入方向Ｙ１中間に設けられている。嵌合溝１４は、直交方向Ｙ３に延在し、後述するアウターハウジング２０のスペーサ部２１が嵌め込まれる。
【００２１】
インナーハウジング１０はまた、図４及び図５に示すように、下壁Ｗ１と、可撓性の端子係止ランス１２（以下係止ランス１２）とを備えている。係止ランス１２は、嵌合溝１４よりも端子３０の先端側に設けられている。係止ランス１２は、先端側に向かうに従って下壁Ｗ１に近づくように設けられている。この下壁Ｗ１及び係止ランス１２によって端子収容室１１先端側の装着方向Ｙ２が区画されている。
【００２２】
インナーハウジング１０はまた、嵌合溝１４よりも端子３０の後側に設けられ、下壁Ｗ１と水平な水平隔壁Ｗ２及び上壁Ｗ３を有している。この下壁Ｗ１、水平隔壁Ｗ２及び上壁Ｗ３によって端子収容室１１後部の装着方向Ｙ２が区画されている。インナーハウジング１０はさらに、図１に示すように、一対の左右側面１５（外側面）と、複数の垂直隔壁Ｗ４とを有している。一対の左右側面１５は、挿入方向Ｙ１及び装着方向Ｙ２の両方向と垂直な直交方向Ｙ３に対向するように設けられている。複数の垂直隔壁Ｗ４は、左右側面１５に水平に設けられている。
【００２３】
この一対の左右側面１５間に端子収容室１１が設けられている。左右側面１５及び垂直隔壁Ｗ４によって端子収容室１１の直交方向Ｙ３が区画されている。インナーハウジング１０の左右側面１５の外側には各々、アウターハウジング２０の仮係止溝２５及び本係止溝２６と係止する係止突部１３が形成されている。
【００２４】
アウターハウジング２０には、フロント部２２と、側面カバー部２３と、ロックアーム部２７と、スペーサ部２１とが一体成形されている。フロント部２２は、図４及び図５に示すように、インナーハウジング１０の挿入方向Ｙ１先端側を覆うように設けられている。フロント部２２には、各端子収容室１１に連通すると共に相手側オス端子が挿入される相手端子挿入孔２４（以下端子挿入孔２４）が成形されている。
【００２５】
側面カバー部２３は、インナーハウジング１０の左右側面１５を覆うように設けられている。側面カバー部２３は、図１に示すように、内側に仮係止溝２５、本係止溝２６が成形されている。ロックアーム部２７は、図４及び図５に示すように、相手側コネクタハウジング（図示せず）に係止されるロック突起２７Ａが成形されている。
【００２６】
上述した仮係止溝２５及び本係止溝２６は各々、図１に示すように、アウターハウジング２０の挿入方向Ｙ１後端部より挿入方向Ｙ１に沿って一直線状に成形されている。スペーサ部２１は、図４及び図５に示すように、水平隔壁Ｗ５及び上壁Ｗ６を備えている。この水平隔壁Ｗ５及び上壁Ｗ６によって端子収容室１１中間部の装着方向Ｙ２が区画されている。スペーサ部２１は、図１に示すように、側面カバー部２３に水平な複数の垂直隔壁Ｗ７を備えている。この垂直隔壁Ｗ７によって端子収容室１１中間部の直交方向Ｙ３が区画されている。
【００２７】
上記端子３０は、図４及び図５に示すように、筒部３１と、第１係止段部３２と、第２係止段部３３と、圧着片３４を有している。筒部３１は、例えば略矩形状に設けられ、相手側オス端子（相手端子）が進入する。第１係止段部３２は、係止ランス１２と係止する。第２係止段部３３は、第１係止段部３２よりも後端側に設けられ、スペーサ部２１と係止する。また、圧着片３４は、第２係止段部３３よりも後端側に設けられ、電線４０がかしめ固定されている。
【００２８】
アウターハウジング２０は、図１に示すように、板状の保護ブリッジ２８（＝第１板状部）を有する。保護ブリッジ２８は、挿入方向Ｙ１後端の一対の側面カバー部２３間に設けられている。保護ブリッジ２８は、図４に示すように、仮係止位置で端子収容室１１よりも装着方向Ｙ２のインナーハウジング１０側に位置するように設けられている。保護ブリッジ２８には、その装着方向Ｙ２のアウターハウジング２０側端部に直交方向Ｙ３に沿った第１係止突部２８Ａ（＝係止手段）が設けられている。
【００２９】
一方、インナーハウジング１０は、図１に示すように、アウターハウジング２０の装着時に板状の保護ブリッジ２８と重なるように、装着方向Ｙ２側に向かって突出して設けられた挿入方向Ｙ１に可撓な板状の梁１９を有している。梁１９には、直交方向Ｙ３に沿った第２係止突部１９Ａ（＝係止手段）が設けられている。第２係止突部１９Ａは、本係止位置で第１係止突部２８Ａと係合する。
【００３０】
次に、上述したコネクタの組み付けについて説明する。まず、アウターハウジング２０を装着方向Ｙ２のインナーハウジング１０側にスライドさせてインナーハウジング１０に装着する。このとき、スペーサ部２１をインナーハウジング１０の嵌合溝１４に挿入させる。仮係止位置までスライドさせると、インナーハウジング１０に成形された係止突部１３がアウターハウジング２０の仮係止溝２５で仮係止される。
【００３１】
図４に示すように、この仮係止位置において、水平隔壁Ｗ２の上面、水平隔壁Ｗ５の上面、係止ランス１２の上面は、段差なく連なっている。仮係止位置においてスペーサ部２１は、端子収容室１１に対する端子３０の挿入を許容するようになっている。
【００３２】
次に、端子３０を先ず下段の端子収容室１１に挿入する。端子３０は、インナーハウジング１０の後部から端子収容室１１に挿入される。端子３０は、下壁Ｗ１に沿って先端に向かって進入される。端子３０の先端が係止ランス１２まで進入すると、係止ランス１２は装着方向Ｙ２の反対側に撓む。端子３０の先端が係止ランス１２よりも先端側まで進入すると、係止ランス１２は装着方向Ｙ２側に復元する。これにより、係止ランス１２が端子３０の第１係止段部３２に係止して端子３０を仮係止し、端子３０が端子収容室１１に収容保持される。
【００３３】
次に、上段の端子収容室１１に端子３０を挿入する。端子３０は、インナーハウジング１０の後部から端子収容室１１に挿入される。端子３０は、まず水平隔壁Ｗ２の上面、スペーサ部２１の水平隔壁Ｗ５上面の順に沿って先端に向かって進入される。端子３０の先端が係止ランス１２まで進入すると、係止ランス１２が装着方向Ｙ２の反対側に撓む。端子３０の先端が係止ランス１２よりも先端側まで進入すると、係止ランス１２は装着方向Ｙ２側に復元する。これにより、係止ランス１２が端子３０の第１係止段部３２に係止して端子３０を仮係止し、端子３０が端子収容室１１に収容保持される。
【００３４】
最後に、アウターハウジング２０をさらに装着方向Ｙ２に押圧してスライドさせる。これにより、仮係止溝２５と係止突部１３との係止がはずれ、インナーハウジング１０に成形された係止突部１３がアウターハウジング２０の本係止溝２６で係止され本係止位置となる。
【００３５】
また、上記スライドにより第２係止突部１９Ａが第１係止突部２８Ａに達すると梁１９が挿入方向Ｙ１に向かって撓む。さらにスライドされて第２係止突部１９Ａが第１係止突部２８Ａよりも装着方向Ｙ２の反対側に位置すると梁１９が挿入方向Ｙ１の後端側に復元し、第１係止突部２８Ａと第２係止突部１９Ａとが係止され本係止位置となる。
【００３６】
このとき、図５に示すように、端子収容室１１上段においては、スペーサ部２１の水平隔壁Ｗ５、上壁Ｗ６が端子３０の第２係止段部３３に係止して、端子３０が本係止される。このように、本係止位置において、スペーサ部２１は端子３０を係止して、たとえ、係止ランス１２による端子３０の係止が解除されても、端子３０が端子収容室１１から抜けないようになっている。
【００３７】
上述したコネクタによれば、保護ブリッジ２８が、仮係止位置で端子収容室１１よりも装着方向Ｙ２側に位置するように、一対の側面カバー部２３間の挿入方向Ｙ１の反対側に設けられている。このため、たとえ第１係止突部２８Ａ、第２係止突部１９Ａの係止が外れてしまったとしても、図８に示すように、保護ブリッジ２８が電線４０に引っかかってアウターハウジング２０とインナーハウジング１０とが外れてしまうことがないので、インナーハウジング１０とアウターハウジング２０とを強固に本係止することができる。隙間Ｓの開きを規制するため、側面カバー部２３のめくれや破損も防止することができる。
【００３８】
また、上述したコネクタによれば、梁１９が、アウターハウジング２０の装着時に保護ブリッジ２８と重なるように、装着方向Ｙ２側に向かって突出して設けられている。保護ブリッジ２８及び梁１９の各々にインナーハウジング１０とアウターハウジング２０とを本係止位置で係止するための第１係止突部２８Ａ、第２係止突部１９Ａが設けられている。
【００３９】
上記保護ブリッジ２８及び梁１９の各々に設けた第１係止突部２８Ａ、第２係止突部１９Ａにより、図５に示すように、挿入方向Ｙ１後端側の電線４０よりも装着方向Ｙ２側でインナーハウジング１０とアウターハウジング２０とを本係止することができるため、電線４０に装着方向Ｙ２側に向かう力が加わったとしても第１係止突部２８Ａ、第２係止突部１９Ａの係止が外れることがない。
【００４０】
第２実施形態
次に、本発明の第２実施形態を図面に基づいて説明する。図９は、第２実施形態におけるコネクタの底面図である。図１０（Ａ）及び（Ｂ）は各々、図９に示すコネクタを構成するアウターハウジングの上面斜示図及び底面斜示図である。図１１（Ａ）及び（Ｂ）は各々、図９に示すコネクタを構成するインナーハウジングの上面斜示図及び底面斜示図である。図１２は、第２実施形態におけるコネクタのＩＶ部分の拡大図である。図１３は、第２実施形態におけるコネクタのＶ部分の拡大図である。
【００４１】
図９〜図１３において、図１〜図８について上述した第１実施形態のコネクタと同等の部分には同一符号を付してその詳細な説明を省略する。第１実施形態と異なる点は、楔型凹部２８Ｂ（＝凹部）を設けた点と、楔型凸部１９Ｂ（＝凸部）を設けた点である。楔型凹部２８Ｂは、保護ブリッジ２８の梁１９側の面に装着方向Ｙ２に沿って設けられている。一方、楔型凸部１９Ｂは、梁１９の保護ブリッジ２８側の面に楔型凹部２８Ｂと装着方向Ｙ２にスライド可能に嵌合するように装着方向Ｙ２に沿って設けられている。
【００４２】
上記楔型凹部２８Ｂは、図９及び図１０に示すように、保護ブリッジ２８側、即ち挿入方向Ｙ１反対側に向かうに従って直交方向Ｙ３の幅が広くなるように設けられている。一方、楔型凸部１９Ｂも、保護ブリッジ２８側、即ち挿入方向Ｙ１反対側に向かうに従って直交方向Ｙ３の幅が広くなるように設けられている。
【００４３】
上述したスペーサ部２１をインナーハウジング１０の嵌合溝１４に挿入するように、アウターハウジング２０を装着方向Ｙ２に向かってスライドさせてインナーハウジング１０に装着すると、楔型凸部１９Ｂと楔型凹部２８Ｂとが装着方向Ｙ２にスライド可能に嵌合する。
【００４４】
ところで、第１係止突部２８Ａと第２係止突部１９Ａとが本係止する前に梁１９が撓んで、保護ブリッジ２８に梁１９から挿入方向Ｙ１の反対側に向かう力が加えられる。この力により、保護ブリッジ２８が挿入方向Ｙ１の反対側に変形してしまう。第１実施形態では、このように保護ブリッジ２８が変形すると、第１係止突部２８Ａと第２係止突部１９Ａとの係り代がなくなってしまう。
【００４５】
これに対して、第２実施形態では、上述した挿入方向Ｙ１の反対側に向かうに従って直交方向Ｙ３の幅が広くなる楔型凹部２８Ｂ及び楔型凸部１９Ｂが設けられている。即ち、楔型凹部２８Ｂ及び楔型凸部１９Ｂは、挿入方向Ｙ１側の幅よりも挿入方向Ｙ１の反対側の幅が広くなるように、設けられている。このため、保護ブリッジ２８と梁１９とは挿入方向Ｙ１に係止され、保護ブリッジ２８が変形を防止し、一定の係り代を確保することができる。このため、インナーハウジング１０とアウターハウジング２０とをより一層、強固に係止することができる。
【００４６】
なお、上述した第２実施形態では、楔型凹部２８Ｂ及び楔型凸部１９Ｂが挿入方向Ｙ１の反対側に向かうに従って直交方向Ｙ３の幅が徐々に広くなるように設けられていたが、本発明はこれに限ったものではない。楔型凹部２８Ｂ及び楔型凸部１９Ｂとしては、挿入方向Ｙ１側の幅よりも挿入方向Ｙ１の反対側の幅が広くなるように、設ければよく、例えば、図１４（Ａ）及び（Ｂ）に示すように設けてもよい。
【００４７】
また、上述した第１及び第２実施形態では、アウターハウジング２０にフロント部２２を一体に形成していたが、本発明はこれに限ったものではない。例えば、フロント部２２をアウターハウジング２０と別体に設けてもよい。
【００４８】
また、上述した第１及び第２実施形態では、保護ブリッジ２８及び梁１９の各々に本係止位置で係止するための第１係止突部２８Ａ及び第２係止突部１９Ａが設けられていたが、本発明はこれに限ったものではない。例えば、保護ブリッジ２８及び梁１９の何れか一方に係止突部を設け、他方にこの係止突部と本係止位置で係止する係止溝を設けても良い。
【００４９】
また、上述した第１及び第２実施形態では、梁１９を挿入方向Ｙ１に可撓に設けていたが、本発明はこれに限ったものではない。例えば、保護ブリッジ２８の方を挿入方向Ｙ１に可撓に設けても良いし、保護ブリッジ２８及び梁１９の両方を挿入方向Ｙ１に可撓に設けてもよい。
【００５０】
また、上述した第２実施形態では、保護ブリッジ２８に楔型凹部２８Ｂ、梁１９に楔型凸部１９Ｂを設けていたが、本発明はこれに限ったものではない。例えば、保護ブリッジ２８に楔型凸部１９Ｂを設け、梁１９に楔型凹部２８Ｂを設けてもよい。このとき、楔型凸部１９Ｂ及び楔型凹部２８Ｂは、梁１９側、即ち挿入方向Ｙ１に向かうに従って直交方向Ｙ３の幅が広くなるように設けられる。
【００５１】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】第１実施形態における本発明のコネクタのインナーハウジングとアウターハウジングとを示す分解斜示図である。
【図２】仮係止位置における図１に示すコネクタの背面図である。
【図３】本係止位置における図１に示すコネクタの背面図である。
【図４】図２に示すコネクタのＩＩ−ＩＩ線断面図である。
【図５】図３に示すコネクタのＩＩＩ−ＩＩＩ線断面図である。
【図６】図４に示すコネクタのＩＶ部分の拡大図である。
【図７】図５に示すコネクタのＶ部分の拡大図である。
【図８】第１係止突部と第２係止突部との係止が外れた状態での断面図である。
【図９】第２実施形態におけるコネクタの底面図である。
【図１０】（Ａ）及び（Ｂ）は各々、図９に示すコネクタを構成するアウターハウジングの上面斜示図及び底面斜示図である。
【図１１】（Ａ）及び（Ｂ）は各々、図９に示すコネクタを構成するインナーハウジングの上面斜示図及び底面斜示図である。
【図１２】第２実施形態におけるコネクタのＩＶ部分の拡大図である。
【図１３】第２実施形態におけるコネクタのＶ部分の拡大図である。
【図１４】他の実施形態における楔型凹部、楔型凸部の部分拡大図である。
【図１５】（Ａ）は従来のコネクタの一例を示す正面斜示図であり、（Ｂ）は（Ａ）に示すコネクタの背面斜示図である。
【図１６】（Ａ）は正常時における図１５に示すコネクタのＡ−Ａ線断面図であり、（Ｂ）は異常時における図１５に示すコネクタのＡ−Ａ線断面図である。
【符号の説明】
【００５３】
１０    インナーハウジング（ハウジング本体）
１１    端子収容室
１２    端子係止ランス
１９    梁
１９Ａ  第２係止突部（係止手段）
１９Ｂ  楔型凸部（凸部）
２０    アウターハウジング（アウター部）
２１    スペーサ部
２３    側面カバー部
２８    保護ブリッジ（連結部）
２８Ａ  第１係止突部（係止手段）
２８Ｂ  楔型凹部（凹部）
３０    端子
Ｙ１    挿入方向
Ｙ２    装着方向
Ｙ３    直交方向
【図１】
2008130323.tif 000003
【図２】
2008130323.tif 000004
【図３】
2008130323.tif 000005
【図４】
2008130323.tif 000006
【図５】
2008130323.tif 000007
【図６】
2008130323.tif 000008
【図７】
2008130323.tif 000009
【図８】
2008130323.tif 000010
【図９】
2008130323.tif 000011
【図１０】
2008130323.tif 000012
【図１１】
2008130323.tif 000013
【図１２】
2008130323.tif 000014
【図１３】
2008130323.tif 000015
【図１４】
2008130323.tif 000016
【図１５】
2008130323.tif 000017
【図１６】
2008130323.tif 000018